(57)【特許請求の範囲】
【請求項１】
基地局装置と通信する端末装置であって、
PUSCHの復調に用いられるDMRSにOCCを使用するか否かを示すRRC情報と、単一のアンテナポートで送信されるPUSCHのスケジューリングのために用いられるDCIとを受信するように構成された受信部と、
前記受信されたRRC情報に基づいてDMRSにOCCが使用されるか否かを設定するように構成された無線リソース制御部と、
RS系列に、所定の系列を乗算することによって得られるDMRS系列から、DMRSを生成するように構成された生成部と、
前記DCIによってスケジュールされるPUSCHと共に前記DMRSを送信するように構成された送信部と、を備え、
前記受信されたRRC情報に基づいてDMRSにOCCが使用されないよう設定されている場合に、前記DCIによってスケジュールされるPUSCHと共に送信される前記DMRSの生成に関連する前記所定の系列は[1 1]であり、
temporary C-RNTIが前記DCIの送信に用いられた場合に、前記DCIによってスケジュールされるPUSCHと共に送信される前記DMRSの生成に関連する前記所定の系列は[1 1]であり、
前記受信されたRRC情報に基づいてDMRSにOCCが使用されるよう設定され、且つ、temporary C-RNTIが前記DCIの送信に用いられなかった場合、前記DCIによってスケジュールされるPUSCHと共に送信される前記DMRSの生成に関連する前記所定の系列は、前記DCIに含まれるサイクリックシフト情報に基づいて特定され、[1 1]および[1 -1]のうち何れかである
ことを特徴とする端末装置。
【請求項２】
前記受信されたRRC情報に基づいてDMRSにOCCが使用されるか否かが設定されるまで、前記DCIによってスケジュールされるPUSCHと共に送信される前記DMRSの生成に関連する前記特定される系列は[1 1]である
ことを特徴とする請求項１に記載の端末装置。
【請求項３】
端末装置と通信する基地局装置であって、
PUSCHの復調に用いられるDMRSに前記端末装置がOCCを使用するか否かを指示するように構成された無線リソース制御部と、
前記DMRSに前記OCCを使用するか否かを示すRRC情報と、単一のアンテナポートで送信されるPUSCHのスケジューリングのために用いられるDCIとを送信するように構成された送信部と、
前記DCIによってスケジュールされるPUSCHと共に前記DMRSを受信し、
RS系列に所定の系列を乗算することによって得られるDMRS系列から生成される前記DMRSを用いることによって前記PUSCHを復調するように構成された受信部と、を備え、
前記端末装置がDMRSにOCCを使用しない場合に、前記DCIによってスケジュールされるPUSCHと共に受信される前記DMRSの生成に関連する前記所定の系列は[1 1]であり、
temporary C-RNTIが前記DCIの送信に用いられた場合に、前記DCIによってスケジュールされるPUSCHと共に受信される前記DMRSの生成に関連する前記所定の系列は[1 1]であり、
前記端末装置がDMRSにOCCを使用し、且つ、temporary C-RNTIが前記DCIの送信に用いられなかった場合、前記DCIによってスケジュールされるPUSCHと共に受信される前記DMRSの生成に関連する前記所定の系列は、前記DCIに含まれるサイクリックシフト情報に基づいて、[1 1]および[1 -1]のうち何れか一方が選択される
ことを特徴とする基地局装置。
【請求項４】
前記RRC情報が送信されるまで、前記DCIによってスケジュールされるPUSCHと共に受信される前記DMRSの生成に関連する前記所定の系列は[1 1]である
ことを特徴とする請求項３に記載の基地局装置。
【請求項５】
基地局装置と通信する端末装置に用いられる方法であって、
PUSCHの復調に用いられるDMRSにOCCを使用するか否かを示すRRC情報と、単一のアンテナポートで送信されるPUSCHのスケジューリングのために用いられるDCIとを受信する手段と、
前記受信されたRRC情報に基づいてDMRSにOCCが使用されるか否かを設定する手段と、
RS系列に、所定の系列を乗算することによって得られるDMRS系列から、DMRSを生成する手段と、
前記DCIによってスケジュールされるPUSCHと共に前記DMRSを送信する手段と、を有し、
前記受信されたRRC情報に基づいてDMRSにOCCが使用されないよう設定されている場合に、前記DCIによってスケジュールされるPUSCHと共に送信される前記DMRSの生成に関連する前記所定の系列は[1 1]であり、
temporary C-RNTIが前記DCIの送信に用いられた場合に、前記DCIによってスケジュールされるPUSCHと共に送信される前記DMRSの生成に関連する前記所定の系列は[1 1]であり、
前記受信されたRRC情報に基づいてDMRSにOCCが使用されるよう設定され、且つ、temporary C-RNTIが前記DCIの送信に用いられなかった場合、前記DCIによってスケジュールされるPUSCHと共に送信される前記DMRSの生成に関連する前記所定の系列は、前記DCIに含まれるサイクリックシフト情報に基づいて特定され、[1 1]および[1 -1]のうち何れかである
ことを特徴とする無線通信方法。
【請求項６】
端末装置と通信する基地局装置に用いられる方法であって、
PUSCHの復調に用いられるDMRSに前記端末装置がOCCを使用するか否かを指示する手段と、
前記DMRSに前記OCCを使用するか否かを示すRRC情報と、単一のアンテナポートで送信されるPUSCHのスケジューリングのために用いられるDCIとを送信する手段と、
前記DCIによってスケジュールされるPUSCHと共に前記DMRSを受信する手段と、
RS系列に所定の系列を乗算することによって得られるDMRS系列から生成される前記DMRSを用いることによって前記PUSCHを復調する手段と、を有し、
前記端末装置がDMRSにOCCを使用しない場合に、前記DCIによってスケジュールされるPUSCHと共に受信される前記DMRSの生成に関連する前記所定の系列は[1 1]であり、
temporary C-RNTIが前記DCIの送信に用いられた場合に、前記DCIによってスケジュールされるPUSCHと共に受信される前記DMRSの生成に関連する前記所定の系列は[1 1]であり、
前記端末装置がDMRSにOCCを使用し、且つ、temporary C-RNTIが前記DCIの送信に用いられなかった場合、前記DCIによってスケジュールされるPUSCHと共に受信される前記DMRSの生成に関連する前記所定の系列は、前記DCIに含まれるサイクリックシフト情報に基づいて、[1 1]および[1 -1]のうち何れか一方が選択される
ことを特徴とする無線通信方法。
【請求項７】
基地局装置と通信する端末装置に実装される集積回路であって、
PUSCHの復調に用いられるDMRSにOCCを使用するか否かを示すRRC情報と、単一のアンテナポートで送信されるPUSCHのスケジューリングのために用いられるDCIとを受信する機能と、
前記受信されたRRC情報に基づいてDMRSにOCCが使用されるか否かを設定する機能と、
RS系列に、所定の系列を乗算することによって得られるDMRS系列から、DMRSを生成する機能と、
前記DCIによってスケジュールされるPUSCHと共に前記DMRSを送信する機能と、を含む一連の機能を前記端末装置に発揮させ、
前記受信されたRRC情報に基づいてDMRSにOCCが使用されないよう設定されている場合に、前記DCIによってスケジュールされるPUSCHと共に送信される前記DMRSの生成に関連する前記所定の系列は[1 1]であり、
temporary C-RNTIが前記DCIの送信に用いられた場合に、前記DCIによってスケジュールされるPUSCHと共に送信される前記DMRSの生成に関連する前記所定の系列は[1 1]であり、
前記受信されたRRC情報に基づいてDMRSにOCCが使用されるよう設定され、且つ、temporary C-RNTIが前記DCIの送信に用いられなかった場合、前記DCIによってスケジュールされるPUSCHと共に送信される前記DMRSの生成に関連する前記所定の系列は、前記DCIに含まれるサイクリックシフト情報に基づいて特定され、[1 1]および[1 -1]のうち何れかである
ことを特徴とする集積回路。
【発明の詳細な説明】
【技術分野】
【０００１】
本発明は、移動局装置、基地局装置、無線通信方法、集積回路および無線通信システムに関する。
【背景技術】
【０００２】
セルラー移動通信の無線アクセス方式および無線ネットワークの進化（以下、「Long Term Evolution （LTE）」、または、「Evolved Universal Terrestrial Radio Access （EUTRA）」と称する。）が、第三世代パートナーシッププロジェクト（3rd Generation Partnership Project: 3GPP）において検討されている。ＬＴＥでは、基地局装置から移動局装置への無線通信（下りリンク）の通信方式として、マルチキャリア送信である直交周波数分割多重（Orthogonal Frequency Division Multiplexing: OFDM）方式が用いられる。また、移動局装置から基地局装置への無線通信（上りリンク）の通信方式として、シングルキャリア送信であるＳＣ−ＦＤＭＡ（Single-Carrier Frequency Division Multiple Access）方式が用いられる。
【０００３】
ＬＴＥにおいて、基地局装置は、ＰＤＣＣＨ（Physical Downlink Control Channel）で送信される下りリンク制御情報（Downlink Control Information: DCI）を用いて上りリンクデータ（または、「uplink shared channel: UL-SCH」と称する。）送信用のチャネルであるＰＵＳＣＨ（Physical Uplink Shared Channel）の初期送信または再送信を移動局装置に指示する。ＬＴＥでは、移動局装置は１つの送信アンテナポートを用いてＰＵＳＣＨを送信する。
【０００４】
ＬＴＥ−Ａでは、上りリンクの周波数利用効率を向上させるためにＰＵＳＣＨにＳＵ（single user）―ＭＩＭＯ（Multiple Input Multiple Output）を用いることが検討されている。ＳＵーＭＩＭＯを用いることで、移動局装置は複数のアンテナポートを用いて１つのＰＵＳＣＨに複数の上りリンクデータを空間多重し送信することができる。ＬＴＥでは、複数の移動局装置が同一時刻、同一周波数でデータを送信し、基地局装置が受信時に各移動局装置が送信した１つ以上の系列のデータを分離することで周波数利用効率を向上させる技術であるＭＵ（multi user）−ＭＩＭＯが用いられるが、ＬＴＥ−ＡにおいてＭＵ−ＭＩＭＯの機能を拡張することが検討されている。
【０００５】
ＬＴＥにおいて、ＰＵＳＣＨと共に送信される伝搬路推定のために用いられる参照信号（Demodulation Reference signal: DMRS）には、干渉を低減させるためにサイクリックシフトが導入されていた。非特許文献１には、ＳＵ−ＭＩＭＯやＭＵ−ＭＩＭＯを行う際にＤＭＲＳの干渉を更に低減させるために、ＤＭＲＳにＯＣＣ（Orthogonal Cover Code）が導入されることが記載されている。また、非特許文献１には、ＰＵＳＣＨに対する下りリンク制御情報に含まれる、ＤＭＲＳに用いるサイクリックシフトに関する情報と、ＤＭＲＳに用いるＯＣＣが対応づけられることが記載されている。
【先行技術文献】
【非特許文献】
【０００６】
【非特許文献１】"OCC and CS for UL DMRS in SU/MU-MIMO", 3GPP TSG RAN WG1 Meeting #60, R1-101267, February 22-26, 2010.
【発明の概要】
【発明が解決しようとする課題】
【０００７】
しかしながら、従来の技術では、移動局装置がＬＴＥとして動作しておりＤＭＲＳにＯＣＣを用いているか、移動局装置がＬＴＥ−Ａとして動作しておりＤＭＲＳにＯＣＣ用いていないかを基地局装置が認識できなくなった場合に、基地局装置は移動局装置が送信したＤＭＲＳから伝搬路推定を正しく行なえず、ＰＵＳＣＨを受信できなくなるという問題があった。
【０００８】
本発明は上記の点に鑑みてなされたものであり、その目的は、ＤＭＲＳにＯＣＣを用いる無線通信システムにおいて、基地局装置がＰＵＳＣＨを正しく受信することができる移動局装置、基地局装置、無線通信方法、集積回路および無線通信システムを提供することを目的とする。
【課題を解決するための手段】
【０００９】
（１）上記の目的を達成するために、本発明は、以下のような手段を講じた。すなわち、本発明の端末装置は、基地局装置と通信する端末装置であって、PUSCHの復調に用いられるDMRSにOCCを使用するか否かを示すRRC情報と、単一のアンテナポートで送信されるPUSCHのスケジューリングのために用いられるDCIとを受信するように構成された受信部と、前記受信されたRRC情報に基づいてDMRSにOCCが使用されるか否かを設定するように構成された無線リソース制御部と、RS系列に、所定の系列を乗算することによって得られるDMRS系列から、DMRSを生成するように構成された生成部と、前記DCIによってスケジュールされるPUSCHと共に前記DMRSを送信するように構成された送信部と、を備え、前記受信されたRRC情報に基づいてDMRSにOCCが使用されないよう設定されている場合に、前記DCIによってスケジュールされるPUSCHと共に送信される前記DMRSの生成に関連する前記所定の系列は[1 1]であり、temporary C-RNTIが前記DCIの送信に用いられた場合に、前記DCIによってスケジュールされるPUSCHと共に送信される前記DMRSの生成に関連する前記所定の系列は[1 1]であり、前記受信されたRRC情報に基づいてDMRSにOCCが使用されるよう設定され、且つ、temporary C-RNTIが前記DCIの送信に用いられなかった場合、前記DCIによってスケジュールされるPUSCHと共に送信される前記DMRSの生成に関連する前記所定の系列は、前記DCIに含まれるサイクリックシフト情報に基づいて特定され、[1 1]および[1 -1]のうち何れかであることを特徴としている。
【００１０】
（２）また、本発明は、上記の端末装置において、前記受信されたRRC情報に基づいてDMRSにOCCが使用されるか否かが設定されるまで、前記DCIによってスケジュールされるPUSCHと共に送信される前記DMRSの生成に関連する前記特定される系列は[1 1]であることを特徴としている。
【００１１】
（３）また、本発明の基地局装置は、端末装置と通信する基地局装置であって、PUSCHの復調に用いられるDMRSに前記端末装置がOCCを使用するか否かを指示するように構成された無線リソース制御部と、前記DMRSに前記OCCを使用するか否かを示すRRC情報と、単一のアンテナポートで送信されるPUSCHのスケジューリングのために用いられるDCIとを送信するように構成された送信部と、前記DCIによってスケジュールされるPUSCHと共に前記DMRSを受信し、RS系列に所定の系列を乗算することによって得られるDMRS系列から生成される前記DMRSを用いることによって前記PUSCHを復調するように構成された受信部と、を備え、前記端末装置がDMRSにOCCを使用しない場合に、前記DCIによってスケジュールされるPUSCHと共に受信される前記DMRSの生成に関連する前記所定の系列は[1 1]であり、temporary C-RNTIが前記DCIの送信に用いられた場合に、前記DCIによってスケジュールされるPUSCHと共に受信される前記DMRSの生成に関連する前記所定の系列は[1 1]であり、前記端末装置がDMRSにOCCを使用し、且つ、temporary C-RNTIが前記DCIの送信に用いられなかった場合、前記DCIによってスケジュールされるPUSCHと共に受信される前記DMRSの生成に関連する前記所定の系列は、前記DCIに含まれるサイクリックシフト情報に基づいて、[1 1]および[1 -1]のうち何れか一方が選択されることを特徴としている。
【００１２】
（４）また、本発明は、上記の基地局装置において、前記RRC情報が送信されるまで、前記DCIによってスケジュールされるPUSCHと共に受信される前記DMRSの生成に関連する前記所定の系列は[1 1]であることを特徴としている。
【００１３】
（５）また、本発明の無線通信方法は、基地局装置と通信する端末装置に用いられる方法であって、PUSCHの復調に用いられるDMRSにOCCを使用するか否かを示すRRC情報と、単一のアンテナポートで送信されるPUSCHのスケジューリングのために用いられるDCIとを受信する手段と、前記受信されたRRC情報に基づいてDMRSにOCCが使用されるか否かを設定する手段と、RS系列に、所定の系列を乗算することによって得られるDMRS系列から、DMRSを生成する手段と、前記DCIによってスケジュールされるPUSCHと共に前記DMRSを送信する手段と、を有し、前記受信されたRRC情報に基づいてDMRSにOCCが使用されないよう設定されている場合に、前記DCIによってスケジュールされるPUSCHと共に送信される前記DMRSの生成に関連する前記所定の系列は[1 1]であり、temporary C-RNTIが前記DCIの送信に用いられた場合に、前記DCIによってスケジュールされるPUSCHと共に送信される前記DMRSの生成に関連する前記所定の系列は[1 1]であり、前記受信されたRRC情報に基づいてDMRSにOCCが使用されるよう設定され、且つ、temporary C-RNTIが前記DCIの送信に用いられなかった場合、前記DCIによってスケジュールされるPUSCHと共に送信される前記DMRSの生成に関連する前記所定の系列は、前記DCIに含まれるサイクリックシフト情報に基づいて特定され、[1 1]および[1 -1]のうち何れかであることを特徴としている。
【００１４】
（６）また、本発明の無線通信方法は、端末装置と通信する基地局装置に用いられる方法であって、PUSCHの復調に用いられるDMRSに前記端末装置がOCCを使用するか否かを指示する手段と、前記DMRSに前記OCCを使用するか否かを示すRRC情報と、単一のアンテナポートで送信されるPUSCHのスケジューリングのために用いられるDCIとを送信する手段と、前記DCIによってスケジュールされるPUSCHと共に前記DMRSを受信する手段と、RS系列に所定の系列を乗算することによって得られるDMRS系列から生成される前記DMRSを用いることによって前記PUSCHを復調する手段と、を有し、前記端末装置がDMRSにOCCを使用しない場合に、前記DCIによってスケジュールされるPUSCHと共に受信される前記DMRSの生成に関連する前記所定の系列は[1 1]であり、temporary C-RNTIが前記DCIの送信に用いられた場合に、前記DCIによってスケジュールされるPUSCHと共に受信される前記DMRSの生成に関連する前記所定の系列は[1 1]であり、前記端末装置がDMRSにOCCを使用し、且つ、temporary C-RNTIが前記DCIの送信に用いられなかった場合、前記DCIによってスケジュールされるPUSCHと共に受信される前記DMRSの生成に関連する前記所定の系列は、前記DCIに含まれるサイクリックシフト情報に基づいて、[1 1]および[1 -1]のうち何れか一方が選択されることを特徴としている。
【００１５】
（７）また、本発明の集積回路は、基地局装置と通信する端末装置に実装される集積回路であって、PUSCHの復調に用いられるDMRSにOCCを使用するか否かを示すRRC情報と、単一のアンテナポートで送信されるPUSCHのスケジューリングのために用いられるDCIとを受信する機能と、前記受信されたRRC情報に基づいてDMRSにOCCが使用されるか否かを設定する機能と、RS系列に、所定の系列を乗算することによって得られるDMRS系列から、DMRSを生成する機能と、前記DCIによってスケジュールされるPUSCHと共に前記DMRSを送信する機能と、を含む一連の機能を前記端末装置に発揮させ、前記受信されたRRC情報に基づいてDMRSにOCCが使用されないよう設定されている場合に、前記DCIによってスケジュールされるPUSCHと共に送信される前記DMRSの生成に関連する前記所定の系列は[1 1]であり、temporary C-RNTIが前記DCIの送信に用いられた場合に、前記DCIによってスケジュールされるPUSCHと共に送信される前記DMRSの生成に関連する前記所定の系列は[1 1]であり、前記受信されたRRC情報に基づいてDMRSにOCCが使用されるよう設定され、且つ、temporary C-RNTIが前記DCIの送信に用いられなかった場合、前記DCIによってスケジュールされるPUSCHと共に送信される前記DMRSの生成に関連する前記所定の系列は、前記DCIに含まれるサイクリックシフト情報に基づいて特定され、[1 1]および[1 -1]のうち何れかであることを特徴としている。
【発明の効果】
【００２０】
この発明によれば、ＤＭＲＳにＯＣＣを用いる無線通信システムにおいて、基地局装置がＰＵＳＣＨを正しく受信することができる。
【図面の簡単な説明】
【００２１】
【図１】本発明の第１の実施形態に係る無線通信システムの概念図である。
【図２】本発明の下りリンクの無線フレームの構成の一例を示す概略図である。
【図３】本発明の上りリンクの無線フレームの構成の一例を示す概略図である。
【図４】本発明のＤＭＲＳの生成方法を説明するための概略図である。
【図５】本発明のＰＤＣＣＨを配置する探索領域の構成の一例を示す概略図である。
【図６】本発明の上りリンクグラントとＤＭＲＳに適用するＯＣＣの関係を示す図である。
【図７】本発明のサイクリックシフト情報とＤＭＲＳに適用するサイクリックシフトの関係を示す図である。
【図８】本発明のサイクリックシフト情報とＤＭＲＳに適用するサイクリックシフトとＯＣＣの関係を示す図である。
【図９】本発明の移動局装置１の動作の一例を示すフローチャート図である。
【図１０】本発明の基地局装置３の動作の一例を示すフローチャート図である。
【図１１】本発明の移動局装置１の構成を示す概略ブロック図である。
【図１２】本発明の基地局装置３の構成を示す概略ブロック図である。
【図１３】本発明の第２の実施形態の上りリンクグラントとＤＭＲＳに適用するＯＣＣの関係を示す図である。
【発明を実施するための形態】
【００２２】
（第１の実施形態）
以下、図面を参照しながら本発明の第１の実施形態について詳しく説明する。
【００２３】
まず、本発明の物理チャネルについて説明する。
【００２４】
図１は、本発明の第１の実施形態に係る無線通信システムの概念図である。図１において、無線通信システムは、移動局装置１Ａ〜１Ｃ、および基地局装置３を具備する。図１は、基地局装置３から移動局装置１Ａ〜１Ｃへの無線通信（下りリンク）では、同期信号（Synchronization signal: SS）、下りリンク参照信号（Downlink Reference Signal: DL RS）、物理報知チャネル（Physical Broadcast Channel: PBCH）、物理下りリンク制御チャネル（Physical Downlink Control Channel: PDCCH）、物理下りリンク共用チャネル（Physical Downlink Shared Channel: PDSCH）、物理マルチキャストチャネル（Physical Multicast Channel: PMCH）、物理制御フォーマットインディケータチャネル（Physical Control Format Indicator Channel: PCFICH）、物理ＨＡＲＱインディケータチャネル（Physical Hybrid ARQ Indicator Channel: PHICH）が割り当てられることを示す。
【００２５】
また、図１は、移動局装置１Ａ〜１Ｃから基地局装置３への無線通信（上りリンク）では、上りリンク参照信号（Uplink Reference Signal: UL RS）、物理上りリンク制御チャネル（Physical Uplink Control Channel: PUCCH）、物理上りリンク共用チャネル（Physical Uplink Shared Channel: PUSCH）、物理ランダムアクセスチャネル（Physical Random Access Channel: PRACH）が割り当てられることを示す。以下、移動局装置１Ａ〜１Ｃを移動局装置１という。
【００２６】
同期信号は、移動局装置１が下りリンクの周波数領域および時間領域の同期をとるために用いられる信号である。下りリンク参照信号は、移動局装置１が下りリンクの周波数領域および時間領域の同期をとるために用いられたり、移動局装置１が下りリンクの受信品質を測定するために用いられたり、移動局装置１がＰＤＳＣＨやＰＤＣＣＨの伝搬路補正を行なうために用いられる信号である。ＰＢＣＨは、移動局装置１で共通に用いられる制御パラメータ（システム情報）（Broadcast Channel: BCH）を報知するために用いられる物理チャネルである。ＰＢＣＨは、４０ms間隔で送信される。４０ms間隔のタイミングは、移動局装置１においてブラインド検出（blind detection）される。
【００２７】
ＰＤＣＣＨは、下りリンクアサインメント（downlink assignment、またはdownlink grantとも称する。）や上りリンクグラント（uplink grant）などの下りリンク制御情報（Downlink Control Information: DCI）を送信するために用いられる物理チャネルである。下りリンクアサインメントは、ＰＤＳＣＨに対する変調方式および符号化率に関する情報（Modulation and Coding Scheme: MCS）、無線リソースの割り当てを示す情報などから構成される。上りリンクグラントは、ＰＵＳＣＨに対する変調方式および符号化率に関する情報、無線リソースの割り当てを示す情報などから構成される。
【００２８】
下りリンク制御情報には複数のフォーマットが用いられる。下りリンク制御情報のフォーマットをＤＣＩフォーマット（DCI format）と呼ぶ。例えば、上りリンクグラントのＤＣＩフォーマットは、移動局装置１がＰＵＳＣＨを１つの送信アンテナポートで送信する場合に用いられるＤＣＩフォーマット０、移動局装置１がＰＵＳＣＨにＭＩＭＯ  ＳＭ（Multiple Input Multiple Output Spatial Multiplexing）を用いて複数の上りリンクデータを送信する場合に用いられるＤＣＩフォーマット０Ａなどが用意される。移動局装置１は、ＰＤＣＣＨに対してＤＣＩフォーマット０とＤＣＩフォーマット０Ａを同時に監視し、ＤＣＩフォーマット０を検出した場合はＰＵＳＣＨを１つの送信アンテナポートを用いて送信し、ＤＣＩフォーマット０Ａを検出した場合はＰＵＳＣＨを複数の送信アンテナポート（ＭＩＭＯ  ＳＭ）を用いてＰＵＳＣＨを送信する。
【００２９】
ＭＩＭＯ  ＳＭとは、複数の送信アンテナポートおよび複数の受信アンテナポートにより実現される複数の空間次元のチャネルに対して複数の信号が多重されて送受信が行なわれる技術である。ここで、アンテナポートとは信号処理に用いられる論理的なアンテナのことを示す、１つのアンテナポートは１つの物理的なアンテナにより構成されてもよいし、複数の物理的なアンテナにより構成されてもよい。ＭＩＭＯ  ＳＭを用いた送信側では、複数の信号に対して適切な空間チャネルを形成するための処理（プリコーディング（precoding）と称す）が行われて、プリコーディングの処理が行なわれた複数の信号を複数の送信アンテナを用いて送信する。ＭＩＭＯ  ＳＭを用いた受信側では、複数の受信アンテナを用いて受信された複数の信号に対して空間次元のチャネルで多重された信号を適切に分離するための処理が行なわれる。
【００３０】
例えば、ＤＣＩフォーマット０Ａには、ＰＵＳＣＨの無線リソースの割り当てを示す情報（Resource block assignment）と、ＰＵＳＣＨの送信電力制御に用いられるＴＰＣ（Transmission Power Control）コマンドと、ＰＵＳＣＨと時間多重される上りリンク参照信号に用いられるサイクリックシフトを決定するために用いられる情報（以下、サイクリックシフト情報と称する。）（Cyclic shift for demodulation reference signal）と、空間多重される系列の数と、この系列に対して行なうプリコーディングを指示する情報（precoding information）、変調方式と符号化方式とリダンダンシーバージョンに関する情報（Modulation and Coding Scheme and Redundancy version: MCS&RV）と、上りリンクデータの初期送信または再送信を示す情報（New Data Indicator: NDI）が含まれる。リダンダンシーバージョンは、移動局装置１が、上りリンクデータが符号化されたビット系列のうち、どの部分をＰＵＳＣＨで送信するかを示す情報である。
【００３１】
ＤＣＩフォーマット０Ａに含まれるＭＣＳ＆ＲＶとＮＤＩは、ＤＣＩフォーマット０Ａによって制御される複数の上りリンクデータ毎に用意される。つまり、基地局装置３は、ＤＣＩフォーマット０Ａを用いることで、同一のＰＵＳＣＨで送信される上りリンクデータ毎にトランスポートブロックサイズ、変調方式、符号化率を設定することができ、上りリンクデータ毎に初期送信か再送信かを移動局装置１に指示することができる。
【００３２】
下りリンク制御情報の符号化方法について説明する。まず基地局装置３は、下りリンク制御情報を基に生成した巡回冗長検査（Cyclic Redundancy Check: CRC）符号をＲＮＴＩ（Radio Network Temporary Identifier）でスクランブル（scramble）した系列を下りリンク制御情報に付加する。移動局装置１は、巡回冗長検査符号がいずれのＲＮＴＩでスクランブルされているかによって下りリンク制御情報の解釈を変更する。
【００３３】
例えば、移動局装置１は、自装置が基地局装置３から割り当てられたＣ−ＲＮＴＩ（Cell-Radio Network Temporary Identity）で巡回冗長検査符号がスクランブルされていた場合は、下りリンク制御情報が自装置宛の無線リソースを示していると判断し、自装置が基地局装置３から割り当てられたＳＰＳ（Semi Persistent Scheduling）Ｃ−ＲＮＴＩで巡回冗長検査符号がスクランブルされていた場合は、下りリンク制御情報が自装置宛の永続的（周期的）な無線リソースの割り当て、または永続的な無線リソースのリリース、または永続的な無線リソースで送信したＰＵＳＣＨの再送を示していると判断する。
【００３４】
移動局装置１は、ランダムアクセスメッセージ２で自装置が送信したランダムアクセスプリアンブルに対して割り当てられたＴ（Temporary）Ｃ−ＲＮＴＩで巡回冗長検査符号がスクランブルされていた場合は、下りリンク制御情報が自装置送信したランダムアクセスメッセージ３の再送用の無線リソースを示していると判断する。ランダムアクセスの詳細は後述する。
【００３５】
以下、下りリンク制御情報にＲＮＴＩでスクランブルされた巡回冗長検査符号が付加されていることを、単に下りリンク制御情報にＲＮＴＩが含まれている、またはＰＤＣＣＨにＲＮＴＩが含まれていると表現する。
【００３６】
移動局装置１は、ＰＤＣＣＨをデコード処理し、ＲＮＴＩでスクランブルされた巡回冗長検査符号に相当する系列を自装置が記憶するＲＮＴＩでデスクランブル（descramble）し、デスクランブルした巡回冗長検査符号に基づき誤りがないことを検出した場合にＰＤＣＣＨの取得に成功したと判断する。この処理をブラインドデコーディング（blind decoding）と呼ぶ。
【００３７】
ＰＤＳＣＨは、ページング情報（Paging Channel: PCH）やＰＢＣＨで報知されない、つまりＢＣＨ以外のシステム情報や下りリンクデータ（Downlink Shared Channel: DL-SCH）を送信するために用いられる物理チャネルである。ＰＭＣＨは、ＭＢＭＳ（Multimedia Broadcast and Multicast Service）に関する情報（Multicast Channel: MCH）を送信するために用いられる物理チャネルである。ＰＣＦＩＣＨは、ＰＤＣＣＨが配置される領域を示す情報を送信するために用いられる物理チャネルである。ＰＨＩＣＨは、基地局装置３が受信した上りリンクデータの復号の成否を示すＨＡＲＱインディケータを送信するために用いられる物理チャネルである。
【００３８】
基地局装置３がＰＵＳＣＨに含まれる全ての上りリンクデータの復号に成功した場合は、ＨＡＲＱインディケータはＡＣＫ（ACKnowledgement）を示し、基地局装置３がＰＵＳＣＨに含まれる少なくとも１つの上りリンクデータの復号に失敗した場合は、ＨＡＲＱインディケータはＮＡＣＫ（Negative ACKnowledgement）を示す。尚、同一のＰＵＳＣＨに含まれる複数の上りリンクデータ毎の復号の成否を示す複数のＨＡＲＱインディケータが、複数のＰＨＩＣＨで送信されるような構成でもよい。
【００３９】
上りリンク参照信号は、基地局装置３が上りリンクの時間領域の同期をとるために用いられたり、基地局装置３が上りリンクの受信品質を測定するために用いられたり、基地局装置３がＰＵＳＣＨやＰＵＣＣＨの伝搬路補正を行なうために用いられる信号である。上りリンク参照信号は、ＳＣ−ＦＤＭＡを想定して分割された無線リソースにおいて、ＣＡＺＡＣ（Constant Amplitude and Zero Auto-Correlation）系列を用いた符号拡散が行われる。
【００４０】
ＣＡＺＡＣ系列とは、時間領域および周波数領域において一定振幅かつ自己相関特性に優れた系列のことである。時間領域で一定振幅であることからＰＡＰＲ（Peak to Average Power Ratio）を低く抑えることが可能である。ＤＭＲＳには、時間領域において巡回遅延が適用される。この時間領域における巡回遅延のことをサイクリックシフトと称する。尚、サイクリックシフトは周波数領域においてＣＡＺＡＣ系列をサブキャリア単位で位相回転することに相当する。
【００４１】
上りリンク参照信号には、ＰＵＳＣＨまたはＰＵＣＣＨと時間多重されて送信されＰＵＳＣＨとＰＵＣＣＨの伝搬路補償に用いられるＤＭＲＳ（Demodulation Reference Signal）と、ＰＵＳＣＨおよびＰＵＣＣＨとは独立して送信される基地局装置３が上りリンクの伝搬路の状況を推定するのに用いられるＳＲＳ（Sounding Reference Signal）がある。ＤＭＲＳには、サイクリックシフトだけでなくＯＣＣ（Orthogonal Cover Code）も用いられる。ＯＣＣは、周波数領域のＣＡＺＡＣ系列を時間領域のＳＣ−ＦＤＭＡシンボル単位で符号拡散をする系列（拡散符号）である。尚、ＳＣ−ＦＤＭＡシンボルを生成した後に時間領域のＳＣ−ＦＤＭＡシンボルをＯＣＣで符号拡散してもよい。
【００４２】
ＤＭＲＳに用いるＯＣＣは、上りリンクグラントに含まれるサイクリックシフト情報を用いて決定される。ＤＭＲＳに用いるサイクリックシフトのシフト量は、上りリンクグラントに含まれるサイクリックシフト情報と、基地局装置から報知される基地局装置固有のパラメータと、基地局装置が管理するセルがネットワークから割り当てられた物理セル識別子（Physical Cell ID）などを入力とする乱数から決定される。
【００４３】
ＰＵＣＣＨは、下りリンクのチャネル品質を示すチャネル品質情報（Channel Quality Information）、上りリンクの無線リソースの割り当ての要求を示すスケジューリング要求（Scheduling Request: SR）、移動局装置１が受信した下りリンクデータの復号の成否を示すＡＣＫ／ＮＡＣＫなど、通信の制御に用いられる情報である上りリンク制御情報（Uplink Control Information: UCI）を送信するために用いられる物理チャネルである。
【００４４】
ＰＵＳＣＨは、上りリンクデータや上りリンク制御情報を送信するために用いられる物理チャネルである。ＰＲＡＣＨは、ランダムアクセスプリアンブルを送信するために使用される物理チャネルである。ＰＲＡＣＨは、移動局装置１が基地局装置３と時間領域の同期をとることを最大の目的とし、その他に、初期アクセス、ハンドオーバ、再接続要求、および上りリンクの無線リソースの割り当ての要求に用いられる。
【００４５】
以下、本発明のランダムアクセスについて説明する。
【００４６】
ランダムアクセスには、Contention based Random Accessと、Non-contention based Random Accessの２つのアクセス方法がある。Contention based Random Accessは、移動局装置１間で衝突する可能性のあるアクセス方法であり、通常行なわれるランダムアクセスである。Non-contention based Random Accessは、移動局装置１間で衝突が発生しないアクセス方法であり、迅速に移動局装置１と基地局装置３間の同期をとるためにハンドオーバ等の特別な場合に基地局装置３主導で行なわれるランダムアクセスである。
【００４７】
ランダムアクセスでは、同期をとるために移動局装置１はプリアンブルのみ送信する。プリアンブルは、情報を表す信号パターンであるシグネチャが含まれ、数十種類のシグネチャを用意して数ビットの情報を表現することができる。移動局装置１は、プリアンブルを用いて６ビットの情報を送信するので、６４種類のシグネチャが用意される。
【００４８】
基地局装置３は、移動局装置１から送信されたプリアンブルを受信すると、プリアンブルから移動局装置１と基地局装置３間の同期タイミングのずれを算出し、移動局装置１がメッセージ３を送信するためのスケジューリングを行なう。そして、基地局装置３はプリアンブルを送信した移動局装置１にＴ  Ｃ−ＲＮＴＩを割り当て、プリアンブルを受信したＰＲＡＣＨに対応するＲＡ−ＲＮＴＩ（Random Access-Radio Network Temporary Identifer）をＰＤＣＣＨに含めて配置し、このＰＤＣＣＨに含まれる無線リソース割り当てが示すＰＤＳＣＨに同期タイミングのずれ情報、スケジューリング情報、Ｔ  Ｃ−ＲＮＴＩおよび受信したプリアンブルのシグネチャの番号（ランダムID、またはプリアンブルIDとも呼称する。）を含んだランダムアクセスレスポンス（メッセージ２）を送信する。
【００４９】
移動局装置１は、検出したＰＤＣＣＨにＲＡ−ＲＮＴＩが含まれていることを確認すると、ＰＤＣＣＨに含まれる無線リソース割り当てが示すＰＤＳＣＨに配置されたランダムアクセスレスポンスの中身を確認する。移動局装置１は自装置が送信したプリアンブルのシグネチャの番号が含まれる応答を抽出し、同期タイミングのずれを補正し、割り当てられたＰＵＳＣＨの無線リソースと送信フォーマットで予め基地局装置３から通知されたＣ−ＲＮＴＩ、または接続要求のメッセージ（RRCConnectionRequest message）、または接続再設定要求のメッセージ（RRCConnectionReestablishmentRequest message）を含むメッセージ３を送信する。
【００５０】
基地局装置３は、移動局装置１からのメッセージ３を受信すると、受信したメッセージ３に含まれるＣ−ＲＮＴＩ、接続要求のメッセージ、または接続再設定要求のメッセージに含まれる移動局装置１を識別する情報を使用して移動局装置１間で衝突が起こっているかどうか判断するためのコンテンションレゾリューション（メッセージ４）を移動局装置１に送信する。基地局装置３は、メッセージ３の復号に失敗した場合は、復号に失敗したメッセージ３が対応するＴ  Ｃ−ＲＮＴＩを含むＤＣＩフォーマット０を用いて移動局装置１にメッセージ３の再送を指示する。
【００５１】
上りリンクデータ（ＵＬ−ＳＣＨ）および下りリンクデータ（ＤＬ−ＳＣＨ）などは、トランスポートチャネルである。上りリンクデータをＰＵＳＣＨで送信する単位および下りリンクデータをＰＤＳＣＨで送信する単位は、トランスポートブロック（transport block）と呼ばれる。トランスポートブロックは、ＭＡＣ（Media Access Control）層で取り扱われる単位であり、トランスポートブロック毎にＨＡＲＱ（再送信）の制御が行なわれる。
【００５２】
物理層ではトランスポートブロックはコードワードに対応付けられ、コードワード毎に符号化などの信号処理が行なわれる。トランスポートブロックサイズは、トランスポートブロックのビット数である。移動局装置１は上りリンクグラントや下りリンクアサインメントに含まれる無線リソース割り当てを示す情報によって示される物理リソースブロック（Physical Resource Block; PRB）の数とＭＣＳ（ＭＣＳ＆ＲＶ）からトランスポートブロックサイズを認識する。
【００５３】
以下、本発明の無線フレームの構成について説明する。
【００５４】
図２は、本発明の下りリンクの無線フレームの構成の一例を示す概略図である。図２において、横軸は時間領域、縦軸は周波数領域である。図２に示すように、下りリンクの無線フレームは、複数の下りリンクの物理リソースブロック（Physical Resource Block; PRB）ペア（例えば、図２の破線で囲まれた領域）から構成されている。この下りリンクの物理リソースブロックペアは、無線リソースの割り当てなどの単位であり、予め決められた幅の周波数帯（PRB帯域幅；１８０kHz）および時間帯（２個のスロット＝１個のサブフレーム；１ms）からなる。
【００５５】
１個の下りリンクの物理リソースブロックペアは、時間領域で連続する２個の下りリンクの物理リソースブロック（PRB帯域幅×スロット）から構成される。１個の下りリンクの物理リソースブロック（図２において、太線で囲まれている単位）は、周波数領域において１２個のサブキャリア（１５kHz）から構成され、時間領域において７個のＯＦＤＭ（Orthogonal Frequency Division Multiplexing）シンボル（７１μs）から構成される。
【００５６】
時間領域においては、７個のＯＦＤＭシンボル（７１μs）から構成されるスロット（０．５ms）、２個のスロットから構成されるサブフレーム（１ms）、１０個のサブフレームから構成される無線フレーム（１０ms）がある。サブフレームと同じ時間間隔である1msのことを、送信時間間隔（Transmit Time Interval: TTI）とも称する。周波数領域においては、下りリンクの帯域幅に応じて複数の下りリンクの物理リソースブロックが配置される。尚、１個のサブキャリアと１個のＯＦＤＭシンボルから構成されるユニットを下りリンクリソースエレメントと称する。
【００５７】
以下、下りリンクに割り当てられる物理チャネルの配置について説明する。下りリンクの各サブフレームには、ＰＤＣＣＨ、ＰＣＦＩＣＨ、ＰＨＩＣＨ、ＰＤＳＣＨ、および下りリンク参照信号などが配置される。ＰＤＣＣＨはサブフレームの先頭のＯＦＤＭシンボルから（図２において、左斜線でハッチングがされた領域）配置される。ＰＤＣＣＨが配置されるＯＦＤＭシンボルの数はサブフレーム毎に異なり、ＰＤＣＣＨが配置されるＯＦＤＭシンボルの数を示す情報はＰＣＦＩＣＨで報知される。各サブフレームでは、複数のＰＤＣＣＨが周波数多重および時間多重される。
【００５８】
ＰＣＦＩＣＨはサブフレームの先頭のＯＦＤＭシンボルに配置され、ＰＤＣＣＨと周波数多重される。ＰＨＩＣＨは、ＰＤＣＣＨと同一のＯＦＤＭシンボル内で周波数多重される（図２において、網目状の線でハッチングがされた領域）。ＰＨＩＣＨは、サブフレームの先頭のＯＦＤＭシンボルのみに配置されてもよいし、ＰＤＣＣＨが配置される複数のＯＦＤＭシンボルに分散して配置されてもよい。各サブフレームでは、複数のＰＨＩＣＨが周波数多重および符号多重される。
【００５９】
移動局装置１は、ＰＵＳＣＨを送信してから所定の時間後（例えば、４ms後、４サブフレーム後、４ＴＴＩ後）の下りリンクのサブフレームのＰＨＩＣＨで、このＰＵＳＣＨに対するＨＡＲＱフィードバックを受信する。ＰＵＳＣＨに対するＨＡＲＱインディケータが下りリンクのサブフレーム内のいずれのＰＨＩＣＨに配置されるかは、このＰＵＳＣＨに割り当てられた物理リソースブロックのうち、最も番号の小さい（最も低い周波数領域の）物理リソースブロックの番号および、上りリンクグラントに含まれる、ＰＵＳＣＨと時間多重される上りリンク参照信号に用いられるサイクリックシフトを決定するために用いられる情報から決定される。
【００６０】
ＰＤＳＣＨは、サブフレームのＰＤＣＣＨおよびＰＣＦＩＣＨおよびＰＨＩＣＨが配置されるＯＦＤＭシンボル以外のＯＦＤＭシンボル（図２において、ハッチングがされない領域）に配置される。ＰＤＳＣＨの無線リソースは、下りリンクアサインメントを用いて割り当てられる。ＰＤＳＣＨの無線リソースは、時間領域において、このＰＤＳＣＨの割り当てに用いられた下りリンクアサインメントを含むＰＤＣＣＨと同一の下りリンクのサブフレームに配置される。各サブフレームでは、複数のＰＤＳＣＨが周波数多重および空間多重される。下りリンク参照信号については、説明の簡略化のため図２において図示を省略するが、下りリンク参照信号は周波数領域と時間領域において分散して配置される。
【００６１】
図３は、本発明の上りリンクの無線フレームの構成の一例を示す概略図である。図３において、横軸は時間領域、縦軸は周波数領域である。図３に示すように、上りリンクの無線フレームは、複数の上りリンクの物理リソースブロックペア（例えば、図３の破線で囲まれた領域）から構成されている。この上りリンクの物理リソースブロックペアは、無線リソースの割り当てなどの単位であり、予め決められた幅の周波数帯（PRB帯域幅；１８０kHz）および時間帯（２個のスロット＝１個のサブフレーム；１ms）からなる。
【００６２】
１個の上りリンクの物理リソースブロックペアは、時間領域で連続する２個の上りリンクの物理リソースブロック（PRB帯域幅×スロット）から構成される。１個の上りリンクの物理リソースブロック（図３において、太線で囲まれている単位）は、周波数領域において１２個のサブキャリア（１５kHz）から構成され、時間領域において７個のＳＣ−ＦＤＭＡシンボル（７１μs）から構成される。
【００６３】
時間領域においては、７個のＳＣ−ＦＤＭＡ（Single-Carrier Frequency Division Multiple Access）シンボル（７１μs）から構成されるスロット（０．５ms）、２個のスロットから構成されるサブフレーム（１ms）、１０個のサブフレームから構成される無線フレーム（１０ms）がある。サブフレームと同じ時間間隔である1msのことを、送信時間間隔（Transmit Time Interval: TTI）とも称する。周波数領域においては、上りリンクの帯域幅に応じて複数の上りリンクの物理リソースブロックが配置される。尚、１個のサブキャリアと１個のＳＣ−ＦＤＭＡシンボルから構成されるユニットを上りリンクリソースエレメントと称する。
【００６４】
以下、上りリンクの無線フレーム内に割り当てられる物理チャネルについて説明する。上りリンクの各サブフレームには、ＰＵＣＣＨ、ＰＵＳＣＨ、ＰＲＡＣＨおよび上りリンク参照信号などが配置される。ＰＵＣＣＨは、上りリンクの帯域の両端の上りリンクの物理リソースブロック（左斜線でハッチングがされた領域）に配置される。各サブフレームでは、複数のＰＵＣＣＨが周波数多重および符号多重される。
【００６５】
ＰＵＳＣＨは、ＰＵＣＣＨが配置される上りリンクの物理リソースブロック以外の上りリンクの物理リソースブロックペア（ハッチングがされない領域）に配置される。ＰＵＳＣＨの無線リソースは、上りリンクグラントを用いて割り当てられ、この上りリンクグラントを含むＰＤＣＣＨが配置された下りリンクのサブフレームから所定の時間後（例えば、４ms後、４サブフレーム後、４ＴＴＩ後）の上りリンクのサブフレームに配置される。各サブフレームでは、複数のＰＵＳＣＨが周波数多重および空間多重される。
【００６６】
ＰＲＡＣＨが配置されるサブフレームおよび上りリンクの物理リソースブロックを示す情報は、基地局装置によって報知される。上りリンク参照信号は、ＰＵＣＣＨやＰＵＳＣＨと時間多重される。例えば、ＰＵＳＣＨと時間多重されるＤＭＲＳは、サブフレーム内の４番目と１１番目のＳＣ−ＦＤＭＡシンボルに配置される。
【００６７】
図４は、本発明のＤＭＲＳの生成方法を説明するための概略図である。図４において、横軸は時間領域である。まず、移動局装置１が生成したＣＡＺＡＣ系列に対してサイクリックシフトを適用する（ステップＳ１００）。次に、サイクリックシフトを適用したＣＡＺＡＣ系列を２つに複製し（ステップＳ１０１）、ＯＣＣを乗算する（ステップＳ１０２）。
【００６８】
次に、ＯＣＣを乗算したＣＡＺＡＣ系列をＰＵＳＣＨが割り当てられた物理リソースブロックにマッピングし、逆高速フーリエ変換（Inverse Fast Fourier Transform: IFFT）を行ないＳＣ−ＦＤＭＡシンボルを生成する（ステップＳ１０２）。生成したＳＣ−ＦＤＭＡシンボルは、サブフレーム内の４番目と１１番目のＳＣ−ＦＤＭＡシンボルとしてマッピングする。尚、[1, 1]のＯＣＣを乗算することはＤＭＲＳにＯＣＣを適用しない（ステップＳ１０２を省略する）ことに相当する。また、ＯＣＣを適用しない（ステップＳ１０２を省略する）ことは[1, 1]のＯＣＣを乗算することに相当する。
【００６９】
以下、本発明の探索領域（search space）について説明する。
【００７０】
図５は、本発明のＰＤＣＣＨを配置する探索領域の構成の一例を示す概略図である。図５において、横軸は制御チャネル要素（Control Channel Element: CCE）を識別する番号である。図５において太線で囲まれている単位は、複数の連続した番号の制御チャネル要素から構成される、ＰＤＣＣＨが配置される候補（以下、「ＰＤＣＣＨ候補（PDCCH candidate）」と称する。）である。図５において斜線でハッチングされたＰＤＣＣＨ候補は、移動局装置固有探索領域（UE-specific Search Space: USS）のＰＤＣＣＨ候補である。図５において網目状にハッチングされたＰＤＣＣＨ候補は、共通探索領域（Common Search Space: CSS）のＰＤＣＣＨ候補である。
【００７１】
共通探索領域は、複数の移動局装置１間で共通の領域であり、複数の移動局装置１に対するＰＤＣＣＨおよび／または特定の移動局装置１に対するＰＤＣＣＨが配置される領域である。移動局装置固有探索領域は、特定の移動局装置１に対するＰＤＣＣＨが配置される領域であり、移動局装置１毎に構成される領域である。
【００７２】
探索領域は、ＰＤＣＣＨ候補（candidate）の集合である。ＰＤＣＣＨ候補は、複数の制御チャネル要素（Control Channel Element: CCE）から構成される。１つの制御チャネル要素は、同一のサブフレーム内のＰＤＣＣＨが配置されるＯＦＤＭシンボル内の周波数領域および時間領域に分散する複数のリソースエレメントから構成される。
【００７３】
探索領域は、ＰＤＣＣＨ候補を構成する制御チャネル要素の数毎に異なる探索領域が構成される。図５において、４つの制御チャネル要素から構成されるＰＤＣＣＨ候補と、８つの制御チャネル要素から構成されるＰＤＣＣＨ候補に対して異なる共通探索領域が構成される。移動局装置固有探索領域に関しては、１つの制御チャネル要素から構成されるＰＤＣＣＨ候補と、２つの制御チャネル要素から構成されるＰＤＣＣＨ候補と、４つの制御チャネル要素から構成されるＰＤＣＣＨ候補と、８つの制御チャネル要素から構成されるＰＤＣＣＨ候補に対して異なる移動局装置固有探索領域が構成される。
【００７４】
共通探索領域は、０番から１５番の制御チャネル要素から構成される。移動局装置固有探索領域を構成するＰＤＣＣＨ候補の数および制御チャネル要素の数は予め決めておき、移動局装置固有探索領域を構成する制御チャネル要素の番号は、移動局装置１が基地局装置３から割り当てられたＣ−ＲＮＴＩを入力としたハッシングファンクション（hushing function）から決定される。また、サブフレーム毎に異なる制御チャネル要素から移動局装置固有探索領域が構成される。
【００７５】
尚、異なる移動局装置１に対する異なる移動局装置固有探索領域の一部または全てが重複してもよい。尚、同一の移動局装置１に対する異なる制御チャネル要素の数で構成される複数の移動局装置固有探索領域および複数の共通探索領域は同じ制御チャネル要素から構成されてもよいし、異なる制御チャネル要素から構成されてもよい。つまり、異なる複数の探索領域を構成するＰＤＣＣＨ候補の一部または全てが重複してもよい。
【００７６】
以下、本発明の上りリンク送信モードについて説明する。
【００７７】
図６は、本発明の上りリンクグラントとＤＭＲＳに適用するＯＣＣの関係を示す図である。本発明の移動局装置１は、上りリンク送信モードとしてＰＵＳＣＨと時間多重されるＤＭＲＳにＯＣＣを使用しないモード１と、ＰＵＳＣＨと時間多重されるＤＭＲＳにＯＣＣを使用するモード２を備える。移動局装置１の上りリンク送信モードは、基地局装置３によって設定される。基地局装置３は、設定した上りリンク送信モードを示す情報をＲＲＣ（Radio Resource Control）シグナルなどで移動局装置１に通知する。ＲＲＣシグナルはＰＤＳＣＨで送信される無線リソースの制御に用いられる情報である。
【００７８】
移動局装置１は、上りリンク送信モードのモード１では、共通探索領域においてＣ−ＲＮＴＩを含むＤＣＩフォーマット０と、ＳＰＳ  Ｃ−ＲＮＴＩを含むＤＣＩフォーマット０と、Ｔ  Ｃ−ＲＮＴＩを含むＤＣＩフォーマット０のブラインドデコーディングを行ない、移動局装置固有探索領域においてＣ−ＲＮＴＩを含むＤＣＩフォーマット０と、ＳＰＳ  Ｃ−ＲＮＴＩを含むＤＣＩフォーマット０のブラインドデコーディングを行なう。
【００７９】
モード１の移動局装置１は、ＤＣＩフォーマット０がいずれのＲＮＴＩを含んでいるかに係らず、ＯＣＣは無効である。ＯＣＣが無効であるとは、上りリンクグラントに含まれるサイクリックシフト情報とＤＭＲＳに使用するＯＣＣを対応付けないことを意味する。ＯＣＣが有効であるとは、上りリンクグラントに含まれるサイクリックシフト情報とＤＭＲＳに使用するＯＣＣを対応付けることを意味する。
【００８０】
モード２の移動局装置１は、共通探索領域においてＣ−ＲＮＴＩを含むＤＣＩフォーマット０と、ＳＰＳ  Ｃ−ＲＮＴＩを含むＤＣＩフォーマット０と、Ｔ  Ｃ−ＲＮＴＩを含むＤＣＩフォーマット０のブラインドデコーディングを行ない、移動局装置固有探索領域においてＣ−ＲＮＴＩを含むＤＣＩフォーマット０およびＤＣＩフォーマット０Ａと、ＳＰＳ  Ｃ−ＲＮＴＩを含むＤＣＩフォーマット０およびＤＣＩフォーマット０Ａのブラインドデコーディングを行なう。
【００８１】
モード２の移動局装置１は、上りリンクグラント（ＤＣＩフォーマット０およびＤＣＩフォーマット０Ａ）がいずれのＲＮＴＩを含むかによって、ＯＣＣが有効か無効かを判断する。モード２の移動局装置１は、上りリンクグラントにＣ−ＲＮＴＩが含まれている場合はＯＣＣが有効であると判断する。
【００８２】
また、モード２の移動局装置１は、上りリンクグラントにＳＰＳ  Ｃ−ＲＮＴＩが含まれており、この上りリンクグラントが永続的に割り当てられたＰＵＳＣＨの再送信を指示している場合はＯＣＣが有効であると判断する。モード２の移動局装置１は、ＳＰＳ  Ｃ−ＲＮＴＩを含む上りリンクグラントが再送信を指示していない場合はＯＣＣが無効であると判断する。
【００８３】
ＳＰＳ  Ｃ−ＲＮＴＩを含む上りリンクグラントが永続的に割り当てられたＰＵＳＣＨの再送信を指示している場合は、この上りリンクグラントのＮＤＩの値は１にセットされる。ＳＰＳ  Ｃ−ＲＮＴＩを含む上りリンクグラントが永続的に割り当てられたＰＵＳＣＨの割り当てを活性化（activateまたはinitiate）または再設定またはリリース（release）することを指示する場合は、この上りリンクグラントのＮＤＩの値は０にセットされる。
【００８４】
また、ＳＰＳ  Ｃ−ＲＮＴＩを含む上りリンクグラントが再送信を指示していない、つまりＮＤＩの値が０の場合は、上りリンクグラントに含まれるサイクリックシフト情報は、特定のコードポイント（例えば、‘０００’）にセットされる。尚、移動局装置１に永続的に割り当てるＰＵＳＣＨの無線リソースの周期などは、事前に基地局装置３から移動局装置１にＲＲＣシグナルで通知される。
【００８５】
Ｔ  Ｃ−ＲＮＴＩは、移動局装置１にランダムアクセスのメッセージ３の再送信を指示するために用いられる。しかし、基地局装置３が移動局装置１を識別するための情報を含むメッセージ３の復号に失敗しているため、基地局装置３はいずれの移動局装置１がメッセージ３を送信したかを認識できない。
【００８６】
モード１の移動局装置１はＯＣＣを無効にしてメッセージ３の再送信を行い、モード２の移動局装置１はＯＣＣを有効にしてメッセージ３を送信すると、基地局装置３はメッセージ３のＰＵＳＣＨと時間多重されて送信されるＤＭＲＳにＯＣＣが適用されているか否かを判断できないため、ＰＵＳＣＨの伝搬路補償を正しく行なえず、メッセージ３の受信を失敗するという問題がある。
【００８７】
そこで、モード２の移動局装置１は、ＤＣＩフォーマット０にＴ  Ｃ−ＲＮＴＩが含まれている場合はＯＣＣが無効であると判断し、メッセージ３の再送信を行なう際はＤＭＲＳにＯＣＣを適用せずに送信する。また、移動局装置１は、自装置が送信したランダムアクセスプリアンブルに対してランダムアクセスレスポンスで割り当てられた無線リソースでメッセージ３の初期送信を行なう際もＤＭＲＳにＯＣＣを適用せずに送信する。これにより、基地局装置３はメッセージ３には必ずＯＣＣが使用されていないと判断することで、正しくメッセージ３を受信することができる。
【００８８】
尚、モード２の移動局装置１に対する移動局装置固有探索領域において、上りリンクグラントとしてＤＣＩフォーマット０のみ、またはＤＣＩフォーマット０Ａのみを配置してもよい。尚、共通探索領域および／または移動局装置固有探索領域に、図６に示したＤＣＩフォーマット以外のＤＣＩフォーマットを配置してもよいし、図６に示したＲＮＴＩ以外のＲＮＴＩを含むＤＣＩフォーマットを配置してもよい。
【００８９】
図７は、本発明の移動局装置１がＯＣＣは無効であると判断した場合のサイクリックシフト情報とＤＭＲＳに適用するサイクリックシフトの関係を示す図である。移動局装置１は、ＯＣＣが無効であると判断した場合は、サイクリックシフト情報からＤＭＲＳに適用するサイクリックシフトを決定するためのパラメータのみを選択する。
【００９０】
図８は、本発明の移動局装置１がＯＣＣは有効であると判断した場合のサイクリックシフト情報とＤＭＲＳに適用するサイクリックシフトの関係を示す図である。移動局装置１は、ＯＣＣが有効であると判断した場合は、サイクリックシフト情報からＤＭＲＳに適用するサイクリックシフトを決定するためのパラメータとＤＭＲＳに適用するＯＣＣを選択する。
【００９１】
尚、基地局装置３が移動局装置１の上りリンク送信モードの設定を変更し、移動局装置１に上りリンク送信モードの設定を変更するようＲＲＣシグナルで通知した場合、移動局装置１はこのＲＲＣシグナルを受信してからある程度の時間が経過してから上りリンク送信モードを変更する。上りリンク送信モードを変更した後に、移動局装置１は上りリンク送信モードの変更を完了したことを知らせるメッセージを基地局装置３に通知する。
【００９２】
基地局装置３は、移動局装置１に上りリンク送信モードの変更するようＲＲＣシグナルで通知してから、移動局装置１から上りリンク送信モードの変更を完了したことを知らせるメッセージを受信するまでの間に、いつ移動局装置１が上りリンク送信モードを変更したかを知ることができないため、移動局装置１の上りリンク送信モードを把握できない期間が生じてしまう。
【００９３】
このように、基地局装置３が移動局装置１の上りリンク送信モードを把握できない期間では、基地局装置３は、ＯＣＣを無効にしたときとＤＭＲＳが同じになる[1, 1]のＯＣＣに対応する値のサイクリックシフト情報をＤＣＩフォーマットに含め、モード２の移動局装置１に送信する。図８では、「０００」、「００１」、「０１１」、「１１０」の値のサイクリックシフト情報が、[1, 1]のＯＣＣに対応している。
【００９４】
これにより、基地局装置３が移動局装置１の上りリンク送信モードを把握できない期間に、移動局装置１の上りリンク送信モードがモード２でありＯＣＣを有効にしていたとしても、移動局装置１はＯＣＣを無効にしたときとＤＭＲＳが同じになる[1, 1]のＯＣＣしか使用しないため、基地局装置３は、移動局装置１の上りリンク送信モードによらず、移動局装置１はＯＣＣを使用していないと想定してＰＵＳＣＨの受信処理を行なうことで、正しくＰＵＳＣＨを受信することができる。
【００９５】
尚、移動局装置１が基地局装置３に初期アクセスした際に、基地局装置３が移動局装置１の上りリンク送信モードを知らないと、移動局装置１が送信したＰＵＳＣＨを基地局装置３が正しく受信することができないため、デフォルトの上りリンク送信モードを決める必要がある。本発明では、移動局装置１が基地局装置３に初期アクセスした時の移動局装置１の上りリンク送信モードを、ＤＭＲＳの送信処理が簡易なモード１に設定する。
【００９６】
以下、本発明の装置の動作について説明する。
【００９７】
図９は、本発明の移動局装置１の動作の一例を示すフローチャート図である。移動局装置１は、基地局装置３から通知された上りリンク送信モードを設定する（ステップＳ２００）。移動局装置１は、上りリンクグラントのブラインドデコーディングを行い、上りリンクグラントを検出する（ステップＳ２０１）。移動局装置１は、自装置の上りリンク送信モードがモード１かモード２かを判定する（ステップＳ２０２）。移動局装置１は自装置の上りリンク送信モードがモード２だと判定した場合は、上りリンクグラントに含まれるＲＮＴＩからＤＭＲＳにＯＣＣを適用するか否かを決定する（ステップＳ２０３）。
【００９８】
移動局装置１は、上りリンクグラントに自装置に割り当てられたＳＰＳ  Ｃ−ＲＮＴＩが含まれており再送信を指示している場合、および上りリンクグラントに自装置に割り当てられたＣ−ＲＮＴＩが含まれている場合は、上りリンクグラントのサイクリックシフト情報に基づき、ＤＭＲＳに適用するＯＣＣとサイクリックシフトを決定する（ステップＳ２０４）。
【００９９】
移動局装置１は、上りリンクグラントに自装置に割り当てられたＳＰＳ  Ｃ−ＲＮＴＩが含まれており再送信を指示していない場合、および上りリンクグラントにランダムアクセスのメッセージ３に対応するＴ  Ｃ−ＲＮＴＩが含まれている場合は、上りリンクグラントのサイクリックシフト情報に基づき、ＤＭＲＳに適用するサイクリックシフトのみを決定する（ステップＳ２０５）。
【０１００】
移動局装置１は、ステップＳ２０２において自装置の上りリンク送信モードがモード１だと判定した場合は、ステップＳ２０５に進む。移動局装置１は、ステップＳ２０４またはステップＳ２０５で決定したサイクリックシフトおよび必要であればＯＣＣをＤＭＲＳに適用し、ＤＭＲＳとＰＵＳＣＨを時間多重し送信する（ステップＳ２０６）。
【０１０１】
図１０は、本発明の基地局装置３の動作の一例を示すフローチャート図である。基地局装置３は、ＲＲＣシグナルなどを用いて移動局装置１に対して設定した送信モードを移動局装置１に通知する（ステップＳ３００）。
【０１０２】
基地局装置３は、ＰＵＳＣＨのスケジューリングを行い、スケジューリングしたＰＵＳＣＨの無線リソースを示す上りリンクグラントを移動局装置１に対して送信する（ステップＳ３０１）。基地局装置３は、モード１に設定した移動局装置１に対する上りリンクグラントにはＤＭＲＳに用いるサイクリックシフトを決定するためのパラメータのみと対応するサイクリックシフト情報を含める。基地局装置３は、Ｔ  Ｃ−ＲＮＴＩを含むメッセージ３の再送用のＰＵＳＣＨの無線リソースを割り当てる上りリンクグラントにはＤＭＲＳに用いるサイクリックシフトを決定するためのパラメータのみと対応するサイクリックシフト情報を含める。
【０１０３】
基地局装置３は、モード２に設定した移動局装置１に対するＣ−ＲＮＴＩを含む上りリンクグラントには、ＤＭＲＳに用いるサイクリックシフトを決定するためのパラメータおよびＤＭＲＳに用いるＯＣＣと対応するサイクリックシフト情報を含める。基地局装置３は、モード２に設定した移動局装置１に対するＳＰＳ  Ｃ−ＲＮＴＩを含みＰＵＳＣＨの再送信を指示する上りリンクグラントには、ＤＭＲＳに用いるサイクリックシフトを決定するためのパラメータおよびＤＭＲＳに用いるＯＣＣと対応するサイクリックシフト情報を含める。
【０１０４】
基地局装置３は、モード２に設定した移動局装置１に対するＳＰＳ  Ｃ−ＲＮＴＩを含みＰＵＳＣＨの再送信を指示しない上りリンクグラントには、ＤＭＲＳに用いるサイクリックシフトを決定するためのパラメータのみと対応するサイクリックシフト情報を含める。基地局装置３は、ステップＳ３０１で移動局装置１に送信した上りリンクグラントに従ってＰＵＳＣＨとＤＭＲＳを受信し、ＤＭＲＳを用いてＰＵＳＣＨの伝搬路の補償を行い、ＰＵＳＣＨの復号処理を行なう（ステップＳ３０２）。
【０１０５】
以下、本発明の装置構成について説明する。
【０１０６】
図１１は、本発明の移動局装置１の構成を示す概略ブロック図である。図示するように、移動局装置１は、上位層処理部１０１、制御部１０３、受信部１０５、送信部１０７および、送受信アンテナ１０９を含んで構成される。また、上位層処理部１０１は、無線リソース制御部１０１１、判定部１０１３を含んで構成される。また、受信部１０５は、復号化部１０５１、復調部１０５３、多重分離部１０５５、無線受信部１０５７とチャネル測定部１０５９を含んで構成される。また、送信部１０７は、符号化部１０７１、変調部１０７３、多重部１０７５、無線送信部１０７７と上りリンク参照信号生成部１０７９を含んで構成される。
【０１０７】
上位層処理部１０１は、ユーザの操作等により生成された上りリンクデータを、送信部１０７に出力する。また、上位層処理部１０１は、媒体アクセス制御（MAC: Medium Access Control）層、パケットデータ統合プロトコル（Packet Data Convergence Protocol: PDCP）層、無線リンク制御（Radio Link Control: RLC）層、無線リソース制御（Radio Resource Control: RRC）層の処理を行なう。また、上位層処理部１０１はＰＤＣＣＨで受信された下りリンク制御情報などに基づき、受信部１０５、および送信部１０７の制御を行なうために制御情報を生成し、制御部１０３に出力する。
【０１０８】
上位層処理部１０１が備える無線リソース制御部１０１１は、自装置の各種設定情報の管理を行なう。例えば、無線リソース制御部１０１１は、Ｃ−ＲＮＴＩなどのＲＮＴＩやのぼりリンク送信モードの管理を行なう。また、無線リソース制御部１０１１は、上りリンクの各チャネルに配置される情報を生成し、送信部１０７に出力する。
【０１０９】
上位層処理部１０１が備える判定部１０１３は、無線リソース制御部１０１１によって管理されている上りリンク送信モードやＲＮＴＩなどと用いて、上りリンクグラントに含まれるサイクリックシフト情報がＤＭＲＳに適用するＯＣＣと対応しているか否かを判定する。また、判定部１０１３は前記判定結果に基づき、サイクリックシフト情報からＤＭＲＳに適用するサイクリックシフトおよびＯＣＣを決定し、送信部１０７が決定したサイクリックシフトおよびＯＣＣをＤＭＲＳに適用するようために制御情報を生成し、制御部１０３に出力する。
【０１１０】
制御部１０３は、上位層処理部１０１からの制御情報に基づいて、受信部１０５、および送信部１０７の制御を行なう制御信号を生成する。制御部１０３は、生成した制御信号を受信部１０５、および送信部１０７に出力して受信部１０５、および送信部１０７の制御を行なう。受信部１０５は、制御部１０３から入力された制御信号に従って、送受信アンテナ１０９を介して基地局装置３から受信した受信信号を、分離、復調、復号し、復号した情報を上位層処理部１０１に出力する。
【０１１１】
無線受信部１０５７は、送受信アンテナ１０９を介して受信した下りリンクの信号を、中間周波数に変換し（ダウンコンバート: down covert）、不要な周波数成分を除去し、信号レベルが適切に維持されるように増幅レベルを制御し、受信した信号の同相成分および直交成分に基づいて、直交復調し、直交復調されたアナログ信号をディジタル信号に変換する。無線受信部１０５７は、変換したディジタル信号からガードインターバル（Guard Interval: GI）に相当する部分を除去し、ガードインターバルを除去した信号に対して高速フーリエ変換（Fast Fourier Transform: FFT）を行い、周波数領域の信号を抽出する。
【０１１２】
多重分離部１０５５は、抽出した信号をＰＨＩＣＨ、ＰＤＣＣＨ、ＰＤＳＣＨ、および下りリンク参照信号に、それぞれ分離する。尚、この分離は、下りリンクアサインメントで通知された無線リソースの割り当て情報などに基づいて行われる。また、多重分離部１０５５は、チャネル測定部１０５９から入力された伝搬路の推定値から、ＰＨＩＣＨとＰＤＣＣＨとＰＤＳＣＨの伝搬路の補償を行なう。また、多重分離部１０５５は、分離した下りリンク参照信号をチャネル測定部１０５９に出力する。
【０１１３】
復調部１０５３は、ＰＨＩＣＨに対して対応する符号を乗算して合成し、合成した信号に対してＢＰＳＫ（Binary Phase Shift Keying）変調方式の復調を行ない、復号化部１０５１へ出力する。復号化部１０５１は、自装置宛てのＰＨＩＣＨを復号し、復号したＨＡＲＱインディケータを上位層処理部１０１に出力する。復調部１０５３は、ＰＤＣＣＨに対して、ＱＰＳＫ変調方式の復調を行ない、復号化部１０５１へ出力する。復号化部１０５１は、ＰＤＣＣＨのブラインドデコーディングを試み、ブラインドデコーディングに成功した場合、復号した下りリンク制御情報と下りリンク制御情報に含まれていたＲＮＴＩを上位層処理部１０１に出力する。
【０１１４】
復調部１０５３は、ＰＤＳＣＨに対して、ＱＰＳＫ（Quadrature Phase Shift Keying）、１６ＱＡＭ（Quadrature Amplitude Modulation）、６４ＱＡＭ等の下りリンクアサインメントで通知された変調方式の復調を行ない、復号化部１０５１へ出力する。復号化部１０５１は、下りリンク制御情報で通知された符号化率に関する情報に基づいて復号を行い、復号した下りリンクデータ（トランスポートブロック）を上位層処理部１０１へ出力する。
【０１１５】
チャネル測定部１０５９は、多重分離部１０５５から入力された下りリンク参照信号から下りリンクのパスロスやチャネルの状態を測定し、測定したパスロスやチャネルの状態を上位層処理部１０１へ出力する。また、チャネル測定部１０５９は、下りリンク参照信号から下りリンクの伝搬路の推定値を算出し、多重分離部１０５５へ出力する。
【０１１６】
送信部１０７は、制御部１０３から入力された制御信号に従って、上りリンク参照信号を生成し、上位層処理部１０１から入力された上りリンクデータ（トランスポートブロック）を符号化および変調し、ＰＵＣＣＨ、ＰＵＳＣＨ、および生成した上りリンク参照信号を多重し、送受信アンテナ１０９を介して基地局装置３に送信する。符号化部１０７１は、上位層処理部１０１から入力された上りリンク制御情報を畳込み符号化、ブロック符号化等の符号化を行い、上りリンクデータを上りリンクグラントで通知された符号化率に関する情報に基づいてターボ符号化を行なう。
【０１１７】
変調部１０７３は、符号化部１０７１から入力された符号化ビットをＢＰＳＫ、ＱＰＳＫ、１６ＱＡＭ、６４ＱＡＭ等の下りリンク制御情報で通知された変調方式または、チャネル毎に予め定められた変調方式で変調する。変調部１０７３は、上りリンクグラントで通知された空間多重される系列の数と、この系列に対して行なうプリコーディングを指示する情報に基づいて、ＭＩＭＯ  ＳＭを用いることにより同一のＰＵＳＣＨで送信される複数の上りリンクデータの変調シンボルの系列を、同一のＰＵＳＣＨで送信される上りリンクデータの数よりも多い複数の系列にマッピングし、この系列に対してプレコーディング（precoding）を行なう。
【０１１８】
上りリンク参照信号生成部１０７９は、基地局装置３を識別するための物理セル識別子（physical cell identity: PCI、Cell IDなどと称する。）、上りリンク参照信号を配置する帯域幅、上りリンクグラントで通知されたサイクリックシフトなどを基に予め定められた規則で求まる、基地局装置３が既知の系列を生成する。多重部１０７５は、制御部１０３から入力された制御信号に従って、ＰＵＳＣＨの変調シンボルを並列に並び替えてから離散フーリエ変換（Discrete Fourier Transform: DFT）し、ＰＵＣＣＨとＰＵＳＣＨの信号と生成した上りリンク参照信号を送信アンテナポート毎に多重する。
【０１１９】
無線送信部１０７７は、多重された信号を逆高速フーリエ変換（Inverse Fast Fourier Transform: IFFT）して、ＳＣ−ＦＤＭＡ方式の変調を行い、ＳＣ−ＦＤＭＡ変調されたＳＣ−ＦＤＭＡシンボルにガードインターバルを付加し、ベースバンドのディジタル信号を生成し、ベースバンドのディジタル信号をアナログ信号に変換し、アナログ信号から中間周波数の同相成分および直交成分を生成し、中間周波数帯域に対する余分な周波数成分を除去し、中間周波数の信号を高周波数の信号に変換（アップコンバート: up convert）し、余分な周波数成分を除去し、電力増幅し、送受信アンテナ１０９に出力して送信する。
【０１２０】
図１２は、本発明の基地局装置３の構成を示す概略ブロック図である。図示するように、基地局装置３は、上位層処理部３０１、制御部３０３、受信部３０５、送信部３０７、および、送受信アンテナ３０９、を含んで構成される。また、上位層処理部３０１は、無線リソース制御部３０１１、下りリンク制御情報生成部３０１３を含んで構成される。また、受信部３０５は、復号化部３０５１、復調部３０５３、多重分離部３０５５、無線受信部３０５７とチャネル測定部３０５９を含んで構成される。また、送信部３０７は、符号化部３０７１、変調部３０７３、多重部３０７５、無線送信部３０７７と下りリンク参照信号生成部３０７９を含んで構成される。
【０１２１】
上位層処理部３０１は、媒体アクセス制御（MAC: Medium Access Control）層、パケットデータ統合プロトコル（Packet Data Convergence Protocol: PDCP）層、無線リンク制御（Radio Link Control: RLC）層、無線リソース制御（Radio Resource Control: RRC）層の処理を行なう。また、上位層処理部３０１は、受信部３０５、および送信部３０７の制御を行なうために制御情報を生成し、制御部３０３に出力する。
【０１２２】
上位層処理部３０１が備える無線リソース制御部３０１１は、下りリンクのＰＤＳＣＨに配置される下りリンクデータ（トランスポートブロック）、ＲＲＣシグナル、ＭＡＣ  ＣＥ（Control Element）を生成し、又は上位ノードから取得し、送信部３０７に出力する。また、無線リソース制御部３０１１は、移動局装置１各々の各種設定情報の管理をする。例えば、無線リソース制御部３０１１は、移動局装置１にＣ−ＲＮＴＩを割り当てるなどＲＮＴＩの管理や移動局装置１に設定した上りリンク送信モードの管理などを行なう。
【０１２３】
上位層処理部３０１が備える下りリンク制御情報生成部３０１３は、ＰＤＣＣＨで送信される下りリンク制御情報を生成する。下りリンク制御情報生成部３０１３は、ＤＭＲＳに用いるＯＣＣと対応するサイクリックシフト情報を含める上りリンクグラントと、ＤＭＲＳに用いるＯＣＣと対応しないサイクリックシフト情報を含める上りリンクグラントを生成する。
【０１２４】
下りリンク制御情報生成部３０１３は、どちらの上りリンクグラントを生成するかを、無線リソース制御部３０１１が管理する移動局装置１に設定した上りリンク送信モードや、上りリンクグラントが永続的なＰＵＳＣＨの無線リソースを示すか、１つのサブフレームのみのＰＵＳＣＨの無線リソースを示すか、上りリンクグラントがメッセージ３の再送信を示すかなどに応じて決定する。
【０１２５】
制御部３０３は、上位層処理部３０１からの制御情報に基づいて、受信部３０５、および送信部３０７の制御を行なう制御信号を生成する。制御部３０３は、生成した制御信号を受信部３０５、および送信部３０７に出力して受信部３０５、および送信部３０７の制御を行なう。
【０１２６】
受信部３０５は、制御部３０３から入力された制御信号に従って、送受信アンテナ３０９を介して移動局装置１から受信した受信信号を分離、復調、復号し、復号した情報を上位層処理部３０１に出力する。無線受信部３０５７は、送受信アンテナ３０９を介して受信された上りリンクの信号を、中間周波数に変換し（ダウンコンバート: down covert）、不要な周波数成分を除去し、信号レベルが適切に維持されるように増幅レベルを制御し、受信された信号の同相成分および直交成分に基づいて、直交復調し、直交復調されたアナログ信号をディジタル信号に変換する。
【０１２７】
無線受信部３０５７は、変換したディジタル信号からガードインターバル（Guard Interval: GI）に相当する部分を除去する。無線受信部３０５７は、ガードインターバルを除去した信号に対して高速フーリエ変換（Fast Fourier Transform: FFT）を行い、周波数領域の信号を抽出し多重分離部３０５５に出力する。
【０１２８】
多重分離部１０５５は、無線受信部３０５７から入力された信号をＰＵＣＣＨ、ＰＵＳＣＨ、上りリンク参照信号などの信号に分離する。尚、この分離は、予め基地局装置３が無線リソース制御部３０１１で決定し、各移動局装置１に通知した上りリンクグラントに含まれる無線リソースの割り当て情報に基づいて行なわれる。また、多重分離部３０５５は、チャネル測定部３０５９から入力された伝搬路の推定値から、ＰＵＣＣＨとＰＵＳＣＨの伝搬路の補償を行なう。また、多重分離部３０５５は、分離した上りリンク参照信号をチャネル測定部３０５９に出力する。
【０１２９】
復調部３０５３は、ＰＵＳＣＨを逆離散フーリエ変換（Inverse Discrete Fourier Transform: IDFT）し、変調シンボルを取得し、ＰＵＣＣＨとＰＵＳＣＨの変調シンボルそれぞれに対して、ＢＰＳＫ（Binary Phase Shift Keying）、ＱＰＳＫ、１６ＱＡＭ、６４ＱＡＭ等の予め定められた、または自装置が移動局装置１各々に上りリンクグラントで予め通知した変調方式を用いて受信信号の復調を行なう。復調部３０５３は、移動局装置１各々に上りリンクグラントで予め通知した空間多重される系列の数と、この系列に対して行なうプリコーディングを指示する情報に基づいて、ＭＩＭＯ  ＳＭを用いることにより同一のＰＵＳＣＨで送信された複数の上りリンクデータの変調シンボルを分離する。
【０１３０】
復号化部３０５１は、復調されたＰＵＣＣＨとＰＵＳＣＨの符号化ビットを、予め定められた符号化方式の、予め定められた、又は自装置が移動局装置１に上りリンクグラントで予め通知した符号化率で復号を行ない、復号した上りリンクデータと、上りリンク制御情報を上位層処理部１０１へ出力する。ＰＵＳＣＨが再送信の場合は、復号化部３０５１は、上位層処理部３０１から入力されるＨＡＲＱバッファに保持している符号化ビットと、復調された符号化ビットを用いて復号を行なう。チャネル測定部３０９は、多重分離部３０５５から入力された上りリンク参照信号から伝搬路の推定値、チャネルの品質などを測定し、多重分離部３０５５および上位層処理部３０１に出力する。
【０１３１】
送信部３０７は、制御部３０３から入力された制御信号に従って、下りリンク参照信号を生成し、上位層処理部３０１から入力されたＨＡＲＱインディケータ、下りリンク制御情報、下りリンクデータを符号化、および変調し、ＰＨＩＣＨ、ＰＤＣＣＨ、ＰＤＳＣＨ、および下りリンク参照信号を多重して、送受信アンテナ３０９を介して移動局装置１に信号を送信する。
【０１３２】
符号化部３０７１は、上位層処理部３０１から入力されたＨＡＲＱインディケータ、下りリンク制御情報、および下りリンクデータを、ブロック符号化、畳込み符号化、ターボ符号化等の予め定められた符号化方式を用いて符号化を行なう、または無線リソース制御部３０１１が決定した符号化方式を用いて符号化を行なう。変調部３０７３は、符号化部３０７１から入力された符号化ビットをＢＰＳＫ、ＱＰＳＫ、１６ＱＡＭ、６４ＱＡＭ等の予め定められた、または無線リソース制御部３０１１が決定した変調方式で変調する。
【０１３３】
下りリンク参照信号生成部３０７９は、基地局装置３を識別するための物理セル識別子（ＰＣＩ）などを基に予め定められた規則で求まる、移動局装置１が既知の系列を下りリンク参照信号として生成する。多重部３０７５は、変調された各チャネルの変調シンボルと生成された下りリンク参照信号を多重する。
【０１３４】
無線送信部３０７７は、多重された変調シンボルなどを逆高速フーリエ変換（Inverse Fast Fourier Transform: IFFT）して、ＯＦＤＭ方式の変調を行い、ＯＦＤＭ変調されたＯＦＤＭシンボルにガードインターバルを付加し、ベースバンドのディジタル信号を生成し、ベースバンドのディジタル信号をアナログ信号に変換し、アナログ信号から中間周波数の同相成分および直交成分を生成し、中間周波数帯域に対する余分な周波数成分を除去し、中間周波数の信号を高周波数の信号に変換（アップコンバート: up convert）し、余分な周波数成分を除去し、電力増幅し、送受信アンテナ３０９に出力して送信する。
【０１３５】
このように、本発明によれば、基地局装置３と移動局装置１が無線通信を行なう無線通信システムにおいて、基地局装置３は、移動局装置１がＰＵＳＣＨ（データチャネル）と時間多重して送信するＤＭＲＳ（参照信号）に用いるサイクリックシフトを決定するためのパラメータと対応するサイクリックシフト情報を含めた上りリンクグラント（第１の制御情報）と、ＤＭＲＳに用いるサイクリックシフトを決定するためのパラメータおよびＤＭＲＳに用いるＯＣＣ（拡散符号）と対応する前記サイクリックシフト情報を含めた上りリンクグラント（第２の制御情報）に異なるＲＮＴＩ（識別子）を含めて送信する。
【０１３６】
そして、移動局装置１は、検出した上りリンクグラントに含まれるＲＮＴＩによって、検出した上りリンクグラントに含まれるサイクリックシフト情報がＰＵＳＣＨと時間多重されるＤＭＲＳに用いるサイクリックシフトを決定するためのパラメータおよびＤＭＲＳに用いるＯＣＣと対応しているか、ＰＵＳＣＨと時間多重されるＤＭＲＳに用いるサイクリックシフトを決定するためのパラメータのみと対応しているかを判定する。
【０１３７】
これにより、基地局装置３は、移動局装置１がＰＵＳＣＨと時間多重されるＤＭＲＳにＯＣＣを適用しているか否かを正確に認識できるようになるため、ＤＭＲＳを用いてＰＵＳＣＨの伝搬路の補償を正しく行い、ＰＵＳＣＨを復号することができる。
【０１３８】
（第２の実施形態）
以下、図面を参照しながら本発明の第２の実施形態について詳しく説明する。
【０１３９】
本発明の第２の実施形態では、基地局装置３は、ＤＭＲＳに用いるサイクリックシフトを決定するためのパラメータのみと対応するサイクリックシフト情報を含む上りリンクグラント（第１の制御情報）を共通探索領域（第１の探索領域）に配置し、ＤＭＲＳに用いるサイクリックシフトを決定するためのパラメータおよびＤＭＲＳに用いるＯＣＣと対応するサイクリックシフト情報を含む上りリンクグラント（第２の制御情報）を移動局装置固有探索領域（第２の探索領域）に配置する。
【０１４０】
本発明の第２の実施形態では、移動局装置１は、上りリンクグラントを共通探索領域と移動局装置固有探索領域のどちらで検出したかによって、検出した上りリンクグラントに含まれるサイクリックシフト情報がＤＭＲＳに用いるサイクリックシフトを決定するためのパラメータのみと対応しているか、ＤＭＲＳに用いるサイクリックシフトを決定するためのパラメータおよびＤＭＲＳに用いるＯＣＣと対応しているかを判別する。
【０１４１】
図１３は、本発明の第２の実施形態の上りリンクグラントとＤＭＲＳに適用するＯＣＣの関係を示す図である。第２の実施形態の移動局装置１は、上りリンク送信モードとしてＰＵＳＣＨと時間多重されるＤＭＲＳにＯＣＣを使用しないモード１と、ＰＵＳＣＨと時間多重されるＤＭＲＳにＯＣＣを使用するモード２を備える。
【０１４２】
移動局装置１は、上りリンク送信モードのモード１では、共通探索領域においてＣ−ＲＮＴＩを含むＤＣＩフォーマット０と、ＳＰＳ  Ｃ−ＲＮＴＩを含むＤＣＩフォーマット０と、Ｔ  Ｃ−ＲＮＴＩを含むＤＣＩフォーマット０のブラインドデコーディングを行ない、移動局装置固有探索領域においてＣ−ＲＮＴＩを含むＤＣＩフォーマット０と、ＳＰＳ  Ｃ−ＲＮＴＩを含むＤＣＩフォーマット０のブラインドデコーディングを行なう。モード１においては、ＤＣＩフォーマット０がいずれの探索領域で検出されたかに係らず、ＯＣＣは無効である。
【０１４３】
上りリンク送信モードのモード２では、移動局装置１は、共通探索領域においてＣ−ＲＮＴＩを含むＤＣＩフォーマット０と、ＳＰＳ  Ｃ−ＲＮＴＩを含むＤＣＩフォーマット０と、Ｔ  Ｃ−ＲＮＴＩを含むＤＣＩフォーマット０のブラインドデコーディングを行ない、移動局装置固有探索領域においてＣ−ＲＮＴＩを含むＤＣＩフォーマット０およびＤＣＩフォーマット０Ａと、ＳＰＳ  Ｃ−ＲＮＴＩを含むＤＣＩフォーマット０およびＤＣＩフォーマット０Ａのブラインドデコーディングを行なう。
【０１４４】
モード２の移動局装置１は、ＤＣＩフォーマット０およびＤＣＩフォーマット０Ａを共通探索領域と移動局装置固有探索領域のどちらで検出したかによって、ＯＣＣが有効か無効かを判断する。モード２の移動局装置１は、共通探索領域でＤＣＩフォーマット０を検出した場合はＯＣＣが無効であると判断する。モード２の移動局装置１は、移動局装置固有探索領域でＣ−ＲＮＴＩを含むＤＣＩフォーマット０およびＤＣＩフォーマット０Ａを検出した場合は、ＯＣＣが有効であると判断する。モード２の移動局装置１は、ＤＣＩフォーマット０Ａを移動局装置固有探索領域でしか監視しないため、ＤＣＩフォーマット０Ａは常にＯＣＣが有効である。
【０１４５】
モード２の移動局装置１は、移動局装置固有探索領域で再送信を指示するＳＰＳ  Ｃ−ＲＮＴＩを含むＤＣＩフォーマット０およびＤＣＩフォーマット０Ａを検出した場合は、ＯＣＣが有効であると判断する。モード２の移動局装置１は、移動局装置固有探索領域でＳＰＳ  Ｃ−ＲＮＴＩを含む再送信を指示しないＤＣＩフォーマット０およびＤＣＩフォーマット０Ａを検出した場合は、ＯＣＣが無効であると判断する。
【０１４６】
尚、共通探索領域と移動局装置固有探索領域の少なくとも一部が重複する場合は、重複した領域で検出したＤＣＩフォーマット０が共通探索領域に対して配置されたものでありＯＣＣが無効であるのか、移動局装置固有探索領域に対して配置されたものでありＯＣＣが有効であるのかを移動局装置１が判定できないという問題がある。
【０１４７】
尚、共通探索領域と移動局装置固有探索領域が重複するとは、共通探索領域を構成するＰＤＣＣＨ候補と移動局装置固有探索領域を構成するＰＤＣＣＨ候補が全て同じ制御チャネル要素から構成されることである。図５では、８番から１５番の制御チャネル要素から構成されるＰＤＣＣＨ候補が共通探索領域と移動局装置固有探索領域が重複する領域である。
【０１４８】
そこで、本発明では共通探索領域と移動局装置固有探索領域の両方に対して配置されるＤＣＩフォーマット０は、共通探索領域と移動局装置固有探索領域が重複する領域に配置される場合は、どちらかの探索領域に対するＤＣＩフォーマット０として配置されるかを予め決めておく。移動局装置１は、共通探索領域と移動局装置固有探索領域の両方に対して配置されるＤＣＩフォーマット０を、共通探索領域と移動局装置固有探索領域の重複する領域で検出した場合は、予め決められたほうの探索領域に対するＤＣＩフォーマットだと判定する。
【０１４９】
例えば、共通探索領域と移動局装置固有探索領域の重複する領域でＤＣＩフォーマット０検出した場合は、ＤＣＩフォーマット０は共通探索領域に対するものでありＯＣＣが無効であると移動局装置１が判定すると予め決めておく。
【０１５０】
これにより、基地局装置３は、移動局装置１に上りリンク送信モードの変更を指示するＲＲＣシグナルを送信してから、移動局装置１から上りリンク送信モードの変更を完了したことを知らせるメッセージを受信するまでの移動局装置１の上りリンク送信モードを把握できない期間は、共通探索領域に配置するＤＣＩフォーマット０を用いることで、上りリンク送信モードによらず移動局装置１は常にＯＣＣが無効であると判定するため、移動局装置１がＰＵＳＣＨと時間多重されるＤＭＲＳにＯＣＣを適用しているか否かを正確に認識できるようになる。
【０１５１】
尚、基地局装置３は、上記の期間に共通探索領域のＣ−ＲＮＴＩを含む上りリンクグラントを用いることで移動局装置１と無線通信を行なうことができるため、共通探索領域のＳＰＳ  Ｃ−ＲＮＴＩを含む上りリンクグラントのＯＣＣを有効にしてもよい。
【０１５２】
本発明に関わる基地局装置３、および移動局装置１で動作するプログラムは、本発明に関わる上記実施形態の機能を実現するように、ＣＰＵ（Central Processing Unit）等を制御するプログラム（コンピュータを機能させるプログラム）であっても良い。そして、これら装置で取り扱われる情報は、その処理時に一時的にＲＡＭ（Random Access Memory）に蓄積され、その後、Ｆｌａｓｈ  ＲＯＭ（Read Only Memory)などの各種ＲＯＭやＨＤＤ（Hard Disk Drive）に格納され、必要に応じてＣＰＵによって読み出し、修正・書き込みが行われる。
【０１５３】
尚、上述した実施形態における移動局装置１、基地局装置３の一部、をコンピュータで実現するようにしても良い。その場合、この制御機能を実現するためのプログラムをコンピュータが読み取り可能な記録媒体に記録して、この記録媒体に記録されたプログラムをコンピュータシステムに読み込ませ、実行することによって実現しても良い。
【０１５４】
尚、ここでいう「コンピュータシステム」とは、移動局装置１、又は基地局装置３に内蔵されたコンピュータシステムであって、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。
【０１５５】
さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
【０１５６】
また、上述した実施形態における移動局装置１、基地局装置３の一部、又は全部を典型的には集積回路であるＬＳＩとして実現してもよいし、チップセットとして実現してもよい。移動局装置１、基地局装置３の各機能ブロックは個別にチップ化してもよいし、一部、又は全部を集積してチップ化してもよい。また、集積回路化の手法はＬＳＩに限らず専用回路、又は汎用プロセッサで実現しても良い。また、半導体技術の進歩によりＬＳＩに代替する集積回路化の技術が出現した場合、当該技術による集積回路を用いることも可能である。
【０１５７】
以上、図面を参照してこの発明の一実施形態について詳しく説明してきたが、具体的な構成は上述のものに限られることはなく、この発明の要旨を逸脱しない範囲内において様々な設計変更等をすることが可能である。
【符号の説明】
【０１５８】
１（１Ａ、１Ｂ、１Ｃ）  移動局装置
３  基地局装置
１０１  上位層処理部
１０３  制御部
１０５  受信部
１０７  送信部
３０１  上位層処理部
３０３  制御部
３０５  受信部
３０７  送信部
１０１１  無線リソース制御部
１０１３  判定部
３０１１  無線リソース制御部
３０１３  下りリンク制御情報生成部 
【図１】
0005415572.tif 000002
【図２】
0005415572.tif 000003
【図３】
0005415572.tif 000004
【図４】
0005415572.tif 000005
【図５】
0005415572.tif 000006
【図６】
0005415572.tif 000007
【図７】
0005415572.tif 000008
【図８】
0005415572.tif 000009
【図９】
0005415572.tif 000010
【図１０】
0005415572.tif 000011
【図１１】
0005415572.tif 000012
【図１２】
0005415572.tif 000013
【図１３】
0005415572.tif 000014